(57)【要約】【課題】各部位からの水漏れを検知し、安全性に優れた洗濯機を提供することを課題とする。【解決手段】洗い行程またはすすぎ行程において、設定水位まで給水して衣類攪拌動作中に、所定のリセット水位まで水位が低下した際に攪拌動作を停止し、この攪拌動作停止回数が所定の回数を越えた場合に、排水手段９を駆動して排水を行なった後、運転を終了して、操作表示手段１３にて異常報知を行なうことにより、各部位からの水漏れを確実に検知して、それ以上の水漏れの被害拡大を防ぐとともに、使用者に異常の発生を知らせることができるので、優れた安全性を発揮することができる。【選択図】図１
2016158736.tif 000002
【特許請求の範囲】
【請求項１】
衣類を収容する回転ドラムと、洗濯機本体に弾性的に支持され前記回転ドラムを回転自在に内包する水受け槽と、前記回転ドラムを回転駆動するモータと、前記水受け槽内に水道水を給水する給水手段と、前記水受け槽内の水位を検知する水位検知手段と、前記水受け槽内の洗濯水の排水を行なう排水手段と、前記回転ドラム内に投入された布量を検知する布量検知手段と、前記洗濯機本体に配設され、運転コース等のモードや各種機能の設定および設定内容などの表示を行なう操作表示手段と、前記操作表示手段により設定された行程の内容をもとに前記モータ、前記給水手段、前記水位検知手段等を制御して、洗い、すすぎ、脱水等の各行程を制御する制御手段とを備え、前記制御手段は、洗い行程またはすすぎ行程において、設定水位まで給水した後の衣類攪拌動作中に、所定のリセット水位まで水位が低下した際に攪拌動作を停止して設定水位まで給水し、攪拌動作停止回数が所定の回数を越えた場合に、運転を終了する洗濯機。
【請求項２】
制御手段は、洗い行程またはすすぎ行程において、給水開始から設定水位到達までの時間が所定時間を越えた場合に、運転を終了する請求項１に記載の洗濯機。
【発明の詳細な説明】
【技術分野】
【０００１】
本発明は、回転ドラム内に収容した洗濯物を洗濯する洗濯機に関するものである。
【背景技術】
【０００２】
従来、この種の洗濯機は、運転中に水受け槽から水漏れした際、水漏れを検知し、対応する構成が提案されてきた（例えば、特許文献１参照）。
【０００３】
図４は、特許文献１に記載された従来のドラム式洗濯機の縦断面図である。
【０００４】
図４において、回転ドラム１は、回転軸３が前面の開口部側から背面の底面側に向けて下向き傾斜となるように水受け槽２内に回転自在に配設されている。回転軸３に、水受け槽２の背面に取り付けたモータ４を連結し、回転ドラム１を正転、逆転方向に回転駆動する。
【０００５】
水受け槽２の正面側の上向き傾斜面に設けた開口部を蓋体５により開閉自在に覆い、蓋体５を開くことにより衣類投入口２４から回転ドラム１内に洗濯物を出し入れできるようにしている。
【０００６】
水受け槽２は、洗濯機本体６に対してばね体７とダンパー８によって揺動可能に吊り下げて防振支持されており、水受け槽２底部からの排水経路に排水手段９を配設して、水受け槽２内の洗濯水を排水するようにしている。水受け槽２内には、洗濯水を加熱する加熱手段２２が配設されており、加熱手段２２の近傍には、温度検出手段２５が配設されている。
【０００７】
洗濯機本体６前面には衣類投入口２４が形成されている。
【０００８】
給水手段１０は、例えば給水弁であり、水受け槽２内に水道水を給水するものであり、水位検知手段１１は、水受け槽２内の水位を検知するものである。
【０００９】
洗濯機本体６内部の下方には、制御手段３２を内蔵する制御装置３５を配設し、洗濯機本体６上方前面部には、運転コース等のモードや各種機能の選択、設定および設定内容などの表示を行なう操作表示手段３３を配設している。
【００１０】
制御手段３２は、操作表示手段３３からの情報をもとに、運転を開始し、モータ４、排水手段９、給水手段１０、加熱手段２２、水位検知手段１１などを制御して、洗い、すすぎ、脱水等の一連の各行程を制御する。
【００１１】
また、洗濯機本体６下部に配設した底板の絞り形状部２１には、水受け槽２や給水手段１０周辺の水経路あるいは排水手段９周辺の水経路などからの水漏れを検知する漏水検知手段３４が配設されている。漏水検知手段３４は、例えば、２つの電極で構成され、電極間の電位差で漏水を検知するようになっている。つまり、漏水した水が絞り形状部２１に溜まって電極間に付着した場合、電極間の電位差がなくなることにより、水漏れを検知する。
【先行技術文献】
【特許文献】
【００１２】
【特許文献１】特開２０１０−１５５０１５号公報
【発明の概要】
【発明が解決しようとする課題】
【００１３】
しかしながら、前記従来の構成では、水漏れが生じる場所によっては、漏水検知手段にまで水が到達せず、水漏れが検知できないという課題があった。
【００１４】
本発明は、前記従来の課題を解決するもので、各部位からの水漏れを確実に検知して水漏れの被害拡大を防ぐことができる安全性に優れた洗濯機を提供することを目的としている。
【課題を解決するための手段】
【００１５】
前記従来の課題を解決するために、本発明の洗濯機は、
衣類を収容する回転ドラムと、洗濯機本体に弾性的に支持され前記回転ドラムを回転自在に内包する水受け槽と、前記回転ドラムを回転駆動するモータと、前記水受け槽内に水道水を給水する給水手段と、前記水受け槽内の水位を検知する水位検知手段と、前記水受け槽内の洗濯水の排水を行なう排水手段と、前記回転ドラム内に投入された布量を検知する布量検知手段と、前記洗濯機本体に配設され、運転コース等のモードや各種機能の設定および設定内容などの表示を行なう操作表示手段と、前記操作表示手段により設定された行程の内容をもとに前記モータ、前記給水手段、前記水位検知手段等を制御して、洗い、すすぎ、脱水等の各行程を制御する制御手段とを備え、前記制御手段は、洗い行程またはすすぎ行程において、設定水位まで給水した後の衣類攪拌動作中に、所定のリセット水位まで水位が低下した際に攪拌動作を停止して設定水位まで給水し、攪拌動作停止回数が所定の回数を越えた場合に、運転を終了するものである。
【００１６】
これによって、各部位からの水漏れを確実に検知して、水漏れの被害拡大を防ぐことができるので、優れた安全性を発揮することができる。
【発明の効果】
【００１７】
本発明の洗濯機は、各部位からの水漏れを確実に検知して水漏れの被害拡大を防ぐことができるので、安全性に優れた洗濯機を実現することができる。
【図面の簡単な説明】
【００１８】
【図１】本発明の実施の形態１におけるドラム式洗濯機の縦断面図
【図２】同ドラム式洗濯機の一部をブロック化した回路図
【図３】同ドラム式洗濯機の水漏れ検知を示す洗い行程のフローチャート
【図４】従来の洗濯機縦断面図
【発明を実施するための形態】
【００１９】
第１の発明は、衣類を収容する回転ドラムと、洗濯機本体に弾性的に支持され前記回転ドラムを回転自在に内包する水受け槽と、前記回転ドラムを回転駆動するモータと、前記水受け槽内に水道水を給水する給水手段と、前記水受け槽内の水位を検知する水位検知手段と、前記水受け槽内の洗濯水の排水を行なう排水手段と、前記回転ドラム内に投入された布量を検知する布量検知手段と、前記洗濯機本体に配設され、運転コース等のモードや各種機能の設定および設定内容などの表示を行なう操作表示手段と、前記操作表示手段により設定された行程の内容をもとに前記モータ、前記給水手段、前記水位検知手段等を制御して、洗い、すすぎ、脱水等の各行程を制御する制御手段とを備え、前記制御手段は、洗い行程またはすすぎ行程において、設定水位まで給水した後の衣類攪拌動作中に、所定のリセット水位まで水位が低下した際に攪拌動作を停止して設定水位まで給水し、攪拌動作停止回数が所定の回数を越えた場合に、運転を終了するものである。
【００２０】
これにより、各部位からの水漏れを確実に検知して水漏れの被害拡大を防ぐことができるので、安全性に優れた洗濯機を実現することができる。
【００２１】
第２の発明は、制御手段は、洗い行程またはすすぎ行程において、給水開始から設定水位到達までの時間が所定時間を越えた場合に、運転を終了するものである。
【００２２】
これにより、各部位からの水漏れを確実に検知して水漏れの被害拡大を防ぐことができるので、安全性に優れた洗濯機を実現することができる。
【００２３】
以下、本発明の実施の形態について、図面を参照しながら説明する。なお、従来例と同一構成部品は、同一符号を付して説明を省略する。また、この実施の形態によって本発明が限定されるものではない。
【００２４】
（実施の形態１）
図１は、本発明の実施の形態におけるドラム式洗濯機の縦断面図、図２は、同ドラム式洗濯機の回路図である。
【００２５】
図１において、洗濯機本体６の下方内部には、制御手段１２を内蔵する制御装置１５を配設し、洗濯機本体６の上方前面部には、運転コース等のモードや各種機能の選択と設定を行ない、設定内容などの表示を行なう操作表示手段１３を配設している。
【００２６】
制御手段１２は、操作表示手段１３からの情報をもとに、運転を開始し、モータ４、排水手段９、給水手段１０、加熱手段２２、水位検知手段１１などを制御して、洗い、すすぎ、脱水等の一連の各行程を実行する。
【００２７】
排水手段９には、例えば、排水弁などがあげられるが、排水ポンプを使用してもよい。また、両方とも使用しても構わない。洗濯機の使用される環境に合わせた組み合わせとすればよい。
【００２８】
洗濯機本体６前面には衣類投入口２４が形成されており、衣類投入口２４と水受け槽２とはパッキン２３で接続されており、水受け槽２内の水が水受け槽２外へ漏れないようになっている。
【００２９】
図１中の水位１は、回転ドラム１内に投入された洗濯物の量に応じて布量検知手段２６（図２参照）によって自動設定された設定水位、あるいは、使用者が操作表示手段１３にて手動で設定した設定水位を表す。水位２は、洗濯物の吸水などにより水位が低下した際に、再び水位１（設定水位）まで給水して水量を補正するリセット水位であり、水位２（リセット水位）は、本実施の形態においては、例えば、回転ドラム１の底面高さより１０ｍｍの水位に設定されている。
【００３０】
図２において、制御装置１５は、マイクロコンピュータにより構成した制御手段１２と、入力回路１６、モータ駆動回路１７、及びスイッチング手段駆動回路１８からなるもので、制御手段１２は、操作表示手段１３へ各種表示信号を出力すると共に、モータ駆動回路１７を介して、モータ４の回転制御を行っている。また、制御装置１５は、スイッチング手段駆動回路１８を介して、スイッチング手段１９を制御して、給水手段１０、排水手段９、蓋ロック装置２０などの動作を制御している。
【００３１】
蓋ロック装置２０は、水受け槽２に設けた衣類投入口としての開口部を覆う蓋体５の開閉を運転中に禁止するものであり、ソレノイドとレバー等より構成している。
【００３２】
また、制御手段１２には、操作表示手段１３からの各種操作信号が入力されると共に、入力回路１６を介して、水位検知手段１１、温度検出手段２５、布量検知手段２６からの検出信号が入力される。
【００３３】
以上のように構成されたドラム式洗濯機について、以下、その動作、作用を説明する。
【００３４】
図３は、本発明の実施の形態におけるドラム式洗濯機の水漏れ検知を示す洗い行程のフローチャートである。
【００３５】
図３において、蓋体５を開け、衣類投入口２４から洗濯物を回転ドラム１に投入し、蓋体５を閉めた後、操作表示手段１３により行程内容を設定し、洗い行程を開始すると、制御手段１２は、布量検知手段２６により、洗濯物の量に応じて最適な水位１を設定（ステップＳ１）し、給水手段１０を制御して、回転ドラム１内および水受け槽２内に給水を行なう（ステップＳ２）。
【００３６】
そして、水位検知手段１１によって水位を検知し、設定水位である水位１に達すると（ステップＳ３のＹＥＳ）、給水を終了し（ステップＳ４）、モータ４を制御して、回転ドラム１を回転させ、攪拌を開始する（ステップＳ５）。
【００３７】
水位検知手段１１は、攪拌中でも常に水受け槽２内の水位を検知しており、攪拌中に水位がリセット水位である水位２にならなければ（ステップＳ６のＮＯ）、攪拌を継続して所定の洗い時間が経過すると（ステップＳ７のＹＥＳ）、洗い行程を終了（ステップＳ８）して次行程へ移行する。
【００３８】
なお、図には示していないが、洗い行程の次の行程では、洗い行程の終了後、排水手段９を動作させて排水を行ない、脱水した後、再び給水手段１０を動作させて給水し、すすぎ行程を行い、その後、排水し、脱水行程を行って運転を終了する。
【００３９】
ステップＳ６にて、水受け槽２内の水位が低下してリセット水位である水位２になると（ステップＳ６のＹＥＳ）、攪拌による布傷み防止のために攪拌を停止する（ステップＳ９）。そして、水位２になって攪拌停止した回数が所定の回数（本実施の形態では、例えば、５回）より少ない場合（ステップＳ１０のＮＯ）は、ステップＳ２に戻り、再び設定水位である水位１になるように給水する。
【００４０】
ステップＳ１０にて、水位２になって攪拌停止した回数が所定の回数より多い場合（ステップＳ１０のＹＥＳ）は、水漏れが発生していると判断し、排水手段９を動作させて水受け槽２内の水を機外へ排水する（ステップＳ１１）。排水終了後は、電源をＯＦＦにして運転を終了（ステップＳ１２）し、操作表示手段１３にて異常報知を行なう（ステップＳ１３）。
【００４１】
また、ステップＳ３にて、水受け槽２内の水位が設定水位である水位１になるまでに（ステップＳ３のＮＯ）、所定時間（本実施の形態では、例えば、１０分）が経過する（ステップＳ１４のＹＥＳ）と、どこかの部位で水漏れが発生している虞があると判断し、給水を停止（ステップＳ１５）し、排水手段９を動作させて水受け槽２内の水を機外へ排水する（ステップＳ１１）。排水終了後後は、電源をＯＦＦにして運転を終了（ステップＳ１２）し、操作表示手段１３にて異常報知を行なう（ステップＳ１３）。
【００４２】
なお、ここでは、洗い行程における水漏れ検知とその対応について述べたが、すすぎ行程においても、洗い行程と同様の水漏れ検知が行われる。
【００４３】
以上のように、本実施の形態においては、洗い行程およびすすぎ行程において、布量検知手段２６により検知された布量に応じて設定した設定水位まで給水した後の衣類攪拌動作中に、所定のリセット水位まで水位が低下した時に攪拌動作を停止し、この攪拌動作停止回数が所定の回数を越えた時に、排水手段９を駆動して排水を行なった後、運転を終了して、操作表示手段１３にて異常報知を行なうことにより、各部位からの水漏れを確実に検知して、それ以上の水漏れの被害拡大を防ぐとともに、使用者に異常の発生を知らせることができるので、優れた安全性を発揮することができる。
【００４４】
なお、本実施の形態では、ドラム式洗濯機を例にとり説明したが、縦型洗濯機に用いてもよい。
【産業上の利用可能性】
【００４５】
以上のように、本発明にかかる洗濯機は、各部位からの水漏れを確実に検知して運転停止し、排水を行なって、それ以上の水漏れの被害拡大を防ぐとともに、使用者に異常の発生を知らせることができるので、他の洗濯機の用途に適用できる。
【符号の説明】
【００４６】
１  回転ドラム
２  水受け槽
４  モータ
９  排水手段
１０  給水手段
１１  水位検知手段
１２  制御手段
１３  操作表示手段
２６  布量検知手段
【図１】
2016158736.tif 000003
【図２】
2016158736.tif 000004
【図３】
2016158736.tif 000005
【図４】
2016158736.tif 000006